(57)【特許請求の範囲】
【請求項１】
垂直平面状の取付部、該取付部の下部において前方へ突出して設けられる水切り部、及び、前記取付部の下部において後方へ突出して設けられる見切り部を備える建物の水切り材であって、
前記水切り部は、垂直平面部を有し、
前記見切り部は、水平平面部を有し、
前記垂直平面部には、平面板状のジョイント部材を前記垂直平面部に沿って水平方向に差し込むことで当該ジョイント部材と係合する第１係合部が設けられており、
前記水平平面部には、平面板状のジョイント部材を前記水平平面部に沿って水平方向に差し込むことで当該ジョイント部材と係合する第２係合部が設けられていることを特徴とする水切り部材。
【請求項２】
垂直平面状の取付部と、
前記取付部の下端から前面側斜め下方へ傾斜して延出する雨水案内部、及び、前記雨水案内部の前端から下方へ延出する垂直平面状の前垂れ部を有する水切り部と、
前記取付部の下部から後面側に水平に延出する水平部を有し、軒天材の縁部を覆うことが可能な見切り部と、を備える建物の水切り部材であって、
前記前垂れ部の後面には、平面板状のジョイント部材を前記後面に沿って水平方向に差し込むことで当該ジョイント部材と係合する第１係合部が設けられており、
前記水平部には、平面板状のジョイント部材を前記水平部に沿って前記水平方向に差し込むことで当該ジョイント部材と係合する第２係合部が設けられていることを特徴とする水切り部材。
【請求項３】
前記水平平面部には、複数の孔が設けられていることを特徴とする請求項１に記載の水切り部材。
【請求項４】
前記取付部は、外壁材の下地の竪胴縁に取付可能に構成され、
前記水平部には、複数の孔が設けられていることを特徴とする請求項２に記載の水切り部材。
【発明の詳細な説明】
【技術分野】
【０００１】
本発明は、建物の土台部、及び、屋根、ベランダ、バルコニー等の建物の外壁から張り出したオーバーハング部の下端部等に取り付けられる水切り部材に関する。
【背景技術】
【０００２】
建物の土台部やオーバーハング部の下端部に取り付けられる水切り部材を水平方向に連続させて複数取付ける場合に、ジョイント部材を垂直取り付け平面部の後面側に設けた第１及び第２の係合溝からなる係合部に係合させて接続できるようにした水切り部材が提案されている（特許文献１参照）。
【先行技術文献】
【特許文献】
【０００３】
【特許文献１】特開２００１−２９５４５６号公報
【発明の概要】
【発明が解決しようとする課題】
【０００４】
しかしながら、上記特許文献１に記載の技術において、係合部は、断面Ｌ字状のジョイント部材を係合させることが可能に構成されている。このようなＬ字状のコーナー部を有するジョイント部材は、その構造が複雑となるため、水切り部材の係合部にジョイント部材を差し込んで係合させるのが難しく作業性が低下する。
【０００５】
さらに外壁のコーナー部分に２つの水切り部材を接続させて取り付ける場合、ジョイント部材の断面形状が複雑な構成であるため、当該ジョイント部材を所定の角度に曲げにくくなる。特にジョイント部材の水平部が曲げにくくなる。この結果、２つの水切り部材を所定の角度で連続させて取り付けてコーナー部を形成することができない。
【０００６】
そこで、本発明の目的は、水切り部材同士を接続するための作業性を向上させることが可能であり、且つ所定角度で連続させて接続することが可能な水切り部材を提供することである。
【課題を解決するための手段】
【０００７】
本発明の水切り部材は、第１の観点では、垂直平面状の取付部、該取付部の下部において前方へ突出して設けられる水切り部、及び、前記取付部の下部において後方へ突出して設けられる見切り部を備える建物の水切り材であって、前記水切り部は、垂直平面部を有し、前記見切り部は、水平平面部を有し、前記垂直平面部には、平面板状のジョイント部材を前記垂直平面部に沿って水平方向に差し込むことで当該ジョイント部材と係合する第１係合部が設けられており、前記水平平面部には、平面板状のジョイント部材を前記水平平面部に沿って水平方向に差し込むことで当該ジョイント部材と係合する第２係合部が設けられている。
【０００８】
これによると、水切り部材が、平面板状のジョイント部材を垂直平面部に沿って水平方向に差し込むことでジョイント部材と係合する第１係合部を有する。このため、各水切り部材の第１係合部に、簡単な構造である平面板状のジョイント部材を差し込んで係合させることで、複数の水切り部材を水平方向に連続的に接続することが可能となる。したがって、複数の水切り部材を接続するための作業性が向上する。また、例えば、比較的厚みの薄い金属板からなるジョイント部材を採用した場合では、ジョイント部材を簡単に屈曲させることが可能であるため、当該ジョイント部材を所定角度に屈曲させることで、２つの水切り部材を所定角度で連続させて接続することが可能となる。つまり、同じジョイント部材の形状を変えることで、２つの水切り部材を多様な角度に連続させて接続することができる。また、垂直平面部の第１係合部及び水平平面部の第２係合部に係合された２つのジョイント部材によって、平面方向を異にする２つの平面で、しかも取付部の前面側と後面側とで接続できるので、２つの水切り部材をより一層ずれにくく接続することができる。
【０００９】
また、本発明の水切り部材は、第２の観点では、垂直平面状の取付部と、前記取付部の下端から前面側斜め下方へ傾斜して延出する雨水案内部、及び、前記雨水案内部の前端から下方へ延出する垂直平面状の前垂れ部を有する水切り部と、前記取付部の下部から後面側に水平に延出する水平部を有し、軒天材の縁部を覆うことが可能な見切り部と、を備える建物の水切り部材であって、前記前垂れ部の後面には、平面板状のジョイント部材を前記後面に沿って水平方向に差し込むことで当該ジョイント部材と係合する第１係合部が設けられており、前記水平部には、平面板状のジョイント部材を前記水平部に沿って前記水平方向に差し込むことで当該ジョイント部材と係合する第２係合部が設けられている。
【００１０】
これによると、水切り部材が、平面板状のジョイント部材を前垂れ部の後面に沿って水平方向に差し込むことでジョイント部材と係合する第１係合部を有する。このため、各水切り部材の第１係合部に、簡単な構造である平面板状のジョイント部材を差し込んでジョイント部材を係合させることで、複数の水切り部材を水平方向に連続的に接続することが可能となる。したがって、複数の水切り部材を接続するための作業性が向上する。また、例えば、比較的厚みの薄い金属板からなるジョイント部材を採用した場合では、ジョイント部材を簡単に屈曲させることが可能であるため、当該ジョイント部材を所定角度に屈曲させることで、２つの水切り部材を所定角度で連続させて接続することが可能となる。つまり、同じジョイント部材の形状を変えることで、２つの水切り部材を多様な角度に連続させて接続することができる。また、軒天材の縁部を覆うことが可能となり、オーバーハング部に良好に適用することができる。なお、本発明の水切り部材は、水平部が見切り部を兼ねているもの、水平部が見切り部の一部を構成しているものをも包含する。また、前垂れ部の第１係合部及び水平部の第２係合部に係合された２つのジョイント部材によって、平面方向を異にする２つの平面で、しかも取付部の前面側と後面側とで接続できるので、２つの水切り部材をより一層ずれにくく接続することができる。
【００１１】
また、本発明において、前記水平平面部には、複数の孔が設けられていることが好ましい。これにより、水切り部材がオーバーハング部に取り付けられたときに、外壁材と横架材との間（竪胴縁間）と外部とを連通させることが可能となる。
【００１２】
また、本発明において、前記取付部は、外壁材の下地の竪胴縁に取付可能に構成され、前記水平部には、複数の孔が設けられていることが好ましい。これにより、水切り部材がオーバーハング部に取り付けられたときに、外壁材と横架材との間（竪胴縁間）と外部とを連通させることが可能となる。
【発明の効果】
【００１３】
本発明の水切り部材の第１の観点によると、水切り部材が、平面板状のジョイント部材を垂直平面部に沿って水平方向に差し込むことでジョイント部材と係合する第１係合部を有する。このため、各水切り部材の第１係合部に、簡単な構造である平面板状のジョイント部材を差し込んで係合させることで、複数の水切り部材を水平方向に連続的に接続することが可能となる。したがって、複数の水切り部材を接続するための作業性が向上する。また、例えば、比較的厚みの薄い金属板からなるジョイント部材を採用した場合では、ジョイント部材を簡単に屈曲させることが可能であるため、当該ジョイント部材を所定の角度に屈曲させることで、２つの水切り部材を所望の角度で連続させて接続することが可能となる。つまり、同じジョイント部材の形状を変えることで、多様な角度に連続させて接続することができる。また、垂直平面部の第１係合部及び水平平面部の第２係合部に係合された２つのジョイント部材によって、平面方向を異にする２つの平面で、しかも取付部の前面側と後面側とで接続できるので、２つの水切り部材をより一層ずれにくく接続することができる。
また、本発明の水切り部材の第２の観点によると、水切り部材が、平面板状のジョイント部材を前垂れ部の後面に沿って水平方向に差し込むことでジョイント部材と係合する第１係合部を有する。このため、各水切り部材の第１係合部に、簡単な構造である平面板状のジョイント部材を差し込んでジョイント部材を係合させることで、複数の水切り部材を水平方向に連続的に接続することが可能となる。したがって、複数の水切り部材を接続するための作業性が向上する。また、例えば、比較的厚みの薄い金属板からなるジョイント部材を採用した場合では、ジョイント部材を簡単に屈曲させることが可能であるため、当該ジョイント部材を所定の角度に屈曲させることで、２つの水切り部材を所望の角度で連続させて接続することが可能となる。つまり、同じジョイント部材の形状を変えることで、多様な角度に連続させて接続することができる。また、軒天材の縁部を覆うことが可能となり、オーバーハング部に良好に適用することができる。また、前垂れ部の第１係合部及び水平部の第２係合部に係合された２つのジョイント部材によって、平面方向を異にする２つの平面で、しかも取付部の前面側と後面側とで接続できるので、２つの水切り部材をより一層ずれにくく接続することができる。
【図面の簡単な説明】
【００１４】
【図１】本発明の一実施形態に係る水切り部材を建物のオーバーハング部の下端部に取り付けた状態を示す概略断面図である。
【図２】図１に示す水切り部材及びジョイント部材の断面図である。
【図３】２つの水切り部材を直線状に接続したときの要部平面図である。
【図４】２つの水切り部材を所定角度で接続したときの要部平面図である。
【図５】本発明の変形例に係る水切り部材を建物のオーバーハング部の下端部に取り付けた状態を示す概略断面図である。
【発明を実施するための形態】
【００１５】
以下、本発明の一実施形態に係る水切り部材１を図１〜図４を参照しながら説明する。図１は、本発明の一実施形態に係る水切り部材を建物のオーバーハング部の下端部に取り付けた状態を示している。本実施形態における水切り部材１は、図１中紙面垂直方向に長尺なものであり、アルミ押し出し一体成形品として製造されているが、板金加工や樹脂成形で製造されていてもよい。なお、本実施形態においては、図１及び図２中紙面垂直方向を長手方向Ａとし、水平方向であって長手方向Ａ（図１中紙面垂直方向）と直交する方向を前後方向Ｂとし、長手方向Ａ及び前後方向Ｂと直交する方向を鉛直方向Ｃとして、以下に説明する。
【００１６】
水切り部材１は、図１及び図２に示すように、垂直平面状の取付部２と、水切り部３と、見切り部４とを有する。これら取付部２、水切り部３及び見切り部４は、いずれも長手方向Ａに長尺に形成されている。取付部２は、全体として長手方向Ａに長尺な横長矩形状を有する。取付部２の前面（図１及び図２中左面）２ａには、釘打ちに利用する３つの溝２ａ１〜２ａ３が形成されている。これら溝２ａ１〜２ａ３は、長手方向Ａに沿って長尺に形成されている。また、３つの溝２ａ１〜２ａ３は、鉛直方向Ｃに関して、互いに離隔して配置されている。
【００１７】
水切り部３は、雨水案内部１１と、垂直平面状の前垂れ部１２と、水平部１３とを有する。雨水案内部１１は、取付部２の下端から前面２ａ側斜め下方へ傾斜して延出されている。これにより、外壁材１０４を伝って落下してきた雨水を下方へと案内することができる。前垂れ部（垂直平面部）１２は、雨水案内部１１の前端から鉛直方向下方へ延出されている。水平部１３は、前垂れ部１２の下端から後面１２ａ側へ水平に延出されている。
【００１８】
前垂れ部１２の後面１２ａには、平面板状のジョイント部材２１と係合する第１係合部１５が形成されている。第１係合部１５は、長手方向Ａに沿って長尺な２つの係合溝１６，１７によって構成されている。これら係合溝１６，１７は、図２に示すように、鉛直方向Ｃに沿って互いに対向して配置され、互いに向き合って開口されている。係合溝１６は、後面１２ａの上部に形成された断面Ｌ字形状の突起１２ａ１と後面１２ａとの間に形成されている。突起１２ａ１は、長手方向Ａに沿って長尺に形成されている。
【００１９】
係合溝１７は、図２に示すように、水平部１３の上面に形成された長手方向Ａに長尺な突起１３ａと後面１２ａとの間に形成されている。係合溝１６，１７の底面間の離隔距離は、平面板状のジョイント部材２１を後面１２ａに沿うように垂直に立てた状態のジョイント部材２１（図２参照）の高さより、若干長く形成されている。また、係合溝１６，１７の幅（前後方向Ｂの幅）は、当該ジョイント部材２１の厚みより若干大きく形成されている。これにより、平面板状のジョイント部材２１を垂直に立てた状態で後面１２ａに沿って長手方向Ａ（水平方向）にジョイント部材２１を第１係合部１５に差し込むことで、ジョイント部材２１が第１係合部１５に嵌まって第１係合部１５と係合する。
【００２０】
図３に示すように、ジョイント部材２１の長手方向Ａの各端部に水切り部材１の第１係合部１５を差し込みつつ水切り部材１同士を突き合わせることで、２つの水切り部材１が直線状に連続して接続される。第１係合部１５は、ジョイント部材２１が差し込まれた状態でジョイント部材２１との間に大きな隙間が生じないように構成されているため、２つの水切り部材１が前後方向Ｂ（図１中左右方向）及び鉛直方向Ｃに関してほとんどずれずに接続される。
【００２１】
見切り部４は、図１及び図２に示すように、第１水平部４１と、第１垂直部４２と、第２垂直部４３と、接続部４４と、第２水平部４５とを有しており、軒天材１０５の縁部を覆うことが可能に構成されている。第１水平部４１（水平部）は、図２に示すように、取付部２の下部から後面２ｂ側に水平に延出されている。第１水平部４１には、複数の孔４８が形成されている。これら孔４８は、図３に示すように、長手方向Ａに沿って互いに離隔して配置されている。このように複数の孔４８が形成されていることで、水切り部材１が図１に示すオーバーハング部１００に取り付けられたときに、外壁材１０４と横架材１０１との間（竪胴縁１０３間）と外部とを連通させることが可能となる。
【００２２】
第１垂直部４２は、図２に示すように、垂直平面状に形成されており、その上部が第１水平部４１の後端（図２中右端）と接続されている。第１垂直部４２の上端は、第１水平部４１よりも上方に配置されている。第２垂直部４３も、垂直平面状に形成されている。接続部４４は、第１垂直部４２の下端と第２垂直部４３の上端とを接続するように水平に延出されている。接続部４４は、図１に示すように、水切り部材１をオーバーハング部１００に取り付ける際に、軒天材１０５に当接する部分となっている。第２水平部４５は、第２垂直部４３の下端から前面２ａ側に水平に延出されている。
【００２３】
第１水平部４１の上面４１ａには、図２に示すように、平面板状のジョイント部材２２と係合する第２係合部４５が形成されている。第２係合部４５は、長手方向Ａに沿って長尺な２つの係合溝４６，４７を有している。これら係合溝４６，４７は、前後方向Ｂに沿って互いに対向して配置され、互いに向き合って開口されている。係合溝４６は、後面２ｂの下部に形成された長手方向Ａに長尺な突起２ｂ１と上面４１ａとの間に形成されている。係合溝４７は、第１垂直部４２の上部に形成された長手方向Ａに長尺な突起４２ａと上面４１ａとの間に形成されている。
【００２４】
係合溝４６，４７の底面間の離隔距離（すなわち、取付部２と第１垂直部４２との前後方向Ｂの間隔）は、平面板状のジョイント部材２２を上面４１ａに沿うように水平にした状態のジョイント部材２２（図２参照）の前後方向Ｂの幅より、若干長く形成されている。また、係合溝４６，４７の幅（鉛直方向Ｃの幅）は、ジョイント部材２２の厚みより若干大きく形成されている。これにより、平面板状のジョイント部材２２を水平にした状態で上面４１ａに沿って長手方向Ａ（水平方向）にジョイント部材２２を第２係合部４５に差し込むことで、ジョイント部材２２が第２係合部４５に嵌まって第２係合部４５と係合する。
【００２５】
図３に示すように、ジョイント部材２２の長手方向Ａの各端部に水切り部材１の第２係合部４５を差し込みつつ水切り部材１同士を突き合わせることで、２つの水切り部材１が直線状に連続して接続される。第２係合部４５は、ジョイント部材２２が差し込まれた状態でジョイント部材２２との間に大きな隙間が生じないように構成されているため、２つの水切り部材１が前後方向Ｂ及び鉛直方向Ｃに関してほとんどずれずに接続される。
【００２６】
また、２つの水切り部材１の長手方向Ａに沿う中心線Ｄの交差角度θが所定角度（０°、１８０°、３６０°を除く角度であって好ましくは１８０°を除く６０°〜３００°の範囲）で接続する場合について、図４を参照しつつ以下に説明する。２つの水切り部材１を、例えば、交差角度θが９０°となるように接続する場合、図４に示すように、各水切り部材１の一方の端部を現場などで斜め４５°でカットする。この後、比較的厚みの薄い金属製のジョイント部材２１を用い、当該ジョイント部材２１を現場で９０°に折り曲げる。この折り曲げられたジョイント部材２１の一端を一方の水切り部材１のカットされた端部の第１係合部１５に差し込む。そして、折り曲げられたジョイント部材２１の他端を他方の水切り部材１のカットされた端部の第１係合部１５に差し込む。こうすることで、２つの水切り部材１を所定角度で接続することが可能となる。なお、２つの水切り部材１を所定角度（０°、１８０°、３６０°を除く角度）で接続する場合、第２係合部４５にはジョイント部材２２を差し込まず、第１係合部１５のみにジョイント部材２１を差し込んで、２つの水切り部材１の鉛直方向Ｃに関する位置ズレを抑制する。
【００２７】
なお、２つの水切り部材１の交差角度θは９０°以外でもよく、接続する所望の角度に合わせて、各水切り部材１の一方の端部をカットし、ジョイント部材２１を折り曲げればよい。
【００２８】
上述の水切り部材１を建物のオーバーハング部１００に取り付けるに当たって、種々の態様を取り得るが、図１に示す例では、下面に軒天材１０５を取り付けた横架材（柱）１０１の側面及び竪胴縁１０３に対して水切り部材１の取付部２を釘１０６により、打ち付けて固定するようにしている。つまり、軒天材１０５の下面に見切り部４を構成する接続部４４を当接させた状態で、溝２ａ２を利用して釘１０６を竪胴縁１０３及び横架材１０１に向けて打ち込む。このときの釘打ちで利用する溝は、溝２ａ１，２ａ３であってもよい。また、このとき、横架材１０１と竪胴縁１０３との間に配置された透湿防水シート１０２を釘１０６で貫通する。これにより、水切り部材１は建物のオーバーハング部１００に固定される。長手方向Ａに連続して複数の水切り部材１を取り付ける場合には、第１係合部１５にジョイント部材２１を、第２係合部４５にジョイント部材２２を差し込んで水切り部材１同士を接続する。その後、外壁材１０４を、取り付けた水切り部材１の雨水案内部１１の直上位置にその下端部が配置されるようにして、釘１０７を竪胴縁１０３及び横架材１０１に打ち込むなど適宜の手段により留め付ける。
【００２９】
以上に述べたように、本実施形態の水切り部材１によると、水切り部材１が、平面板状のジョイント部材２１を前垂れ部（垂直平面部）１２の後面１２ａに沿って長手方向Ａに差し込むことでジョイント部材２１と係合する第１係合部１５を有する。このため、各水切り部材１の第１係合部１５に、簡単な構造である平面板状のジョイント部材２１を差し込んでジョイント部材２１を係合させることで、複数の水切り部材１を長手方向Ａに連続的に接続することが可能となる。したがって、複数の水切り部材１を接続するための作業性が向上する。
【００３０】
また、例えば、比較的厚みの薄い金属板からなるジョイント部材２１を採用した場合では、図４に示すようにジョイント部材２１を簡単に屈曲させることが可能であるため、当該ジョイント部材２１を所定角度に屈曲させることで、２つの水切り部材１を所定角度で連続させて接続することが可能となる。つまり、同じジョイント部材２１の形状を変えることで、２つの水切り部材１を多様な角度に連続させて接続することができる。
【００３１】
また、水切り部材１が、見切り部４を有していることで、軒天材１０５の縁部を覆うことが可能となり、オーバーハング部１００に良好に適用することができる。
【００３２】
また、水切り部材１の第１水平部４１に第２係合部４５が設けられていることで、前垂れ部１２の第１係合部１５及び第１水平部４１の第２係合部４５に係合された２つのジョイント部材２１，２２によって、平面方向を異にする２つの平面（垂直面及び水平面）で、しかも取付部２の前面側と後面側とで接続できるので、２つの水切り部材１を前後方向Ｂ及び鉛直方向Ｃに関してより一層ずれにくく接続することができる。
【００３３】
続いて、水切り部材の変形例について、図５を参照しつつ以下に説明する。なお、上述の実施形態と同様なものに関しては同符号で示し、説明を省略する。
【００３４】
本変形例における水切り部材２０１は、見切り部２０４の形状が上述の見切り部４と異なり、突起２ｂ１の位置が上述の水切り部材１のときよりも取付部２の下端寄りに配置され、これら以外は上述の水切り部材１とほぼ同様の形状を有している。
【００３５】
見切り部２０４は、水平部２４１と、垂直部２４２とを有しており、軒天材１０５の縁部を覆うことが可能に構成されている。水平部２４１は、図５に示すように、取付部２の下端から後面２ｂ側に水平に延出されている。垂直部２４２は、水平部２４１の後端から鉛直方向上方に垂直に延出されている。また、垂直部２４２は、図５に示すように、水切り部材２０１をオーバーハング部２００に取り付ける際に、その上端が軒天材１０５に当接する部分となっている。
【００３６】
水平部２４１の上面２４１ａには、上述の第２係合部４５と同様な第２係合部２４５が形成されている。第２係合部２４５は、長手方向Ａに沿って長尺な２つの係合溝２４６，２４７を有している。これら係合溝２４６，２４７は、前後方向Ｂに沿って互いに対向して配置され、互いに向き合って開口されている。係合溝２４６は、突起２ｂ１と上面２４１ａとの間に形成されている。係合溝２４７は、垂直部２４２の下部に形成された長手方向Ａに長尺な突起２４２ａと上面２４１ａとの間に形成されている。
【００３７】
係合溝２４６，２４７の底面間の離隔距離（すなわち、取付部２と垂直部２４２との前後方向Ｂの間隔）は、平面板状のジョイント部材２２を上面２４１ａに沿うように水平にした状態のジョイント部材２２の前後方向Ｂの幅より、若干長く形成されている。また、係合溝２４６，２４７の幅（鉛直方向Ｃの幅）は、ジョイント部材２２の厚みより若干大きく形成されている。これにより、平面板状のジョイント部材２２を水平にした状態で上面２４１ａに沿って長手方向Ａ（水平方向）にジョイント部材２２を第２係合部２４５に差し込むことで、ジョイント部材２２が第２係合部２４５に嵌まって第２係合部２４５と係合する。これにより、第２係合部２４５においても、上述の第２係合部４５と同様の効果を得ることができる。
【００３８】
本変形例における水切り部材２０１を建物のオーバーハング部２００に取り付けるに当たって、種々の態様を取り得るが、図５に示す例では、下面に軒天材１０５を取り付けた横架材（柱）１０１の側面に対して水切り部材２０１の取付部２を釘１０６により、打ち付けて固定するようにしている。つまり、軒天材１０５の下面に見切り部２０４を構成する垂直部２４２の上端を当接させた状態で、溝２ａ２を利用して釘１０６を横架材１０１に向けて打ち込む。このときの釘打ちで利用する溝は、溝２ａ１，２ａ３であってもよい。これにより、水切り部材２０１は建物のオーバーハング部２００に固定される。長手方向Ａに連続して複数の水切り部材２０１を取り付ける場合には、第１係合部１５にジョイント部材２１を、第２係合部２４５にジョイント部材２２を差し込んで水切り部材２０１同士を接続する。この後、横架材１０１と竪胴縁１０３との間に配置される透湿防水シート１０２の下端を両面テープなどで取付部２の前面２ａに固定する。そして、竪胴縁１０３及び外壁材１０４を、取り付けた水切り部材１の雨水案内部１１の直上位置にその下端部が配置されるようにして、釘１０７を横架材１０１に打ち込むなど適宜の手段により留め付ける。
【００３９】
本変形例の水切り部材２０１においても、上述の水切り部材１と同様の構成においては、同じ効果を得ることができる。
【００４０】
以上、本発明の好適な実施の形態について説明したが、本発明は上述の実施の形態に限られるものではなく、特許請求の範囲に記載した限りにおいて様々な変更が可能なものである。例えば、上述の水切り部材１、２０１は、オーバーハング部１００，２００に取り付けられた例のみ示しているが、当然、土台などに取り付けて用いることも可能である。この場合、水切り部材１、２０１に見切り部４，２０４を設けなくてよい。また、第２係合部４５，２４５が設けられていなくてもよい。また、第１係合部１５と第２係合部４５，２４５が同じジョイント部材を差し込んで係合できる同形状、同サイズに構成されていてもよい。こうすれば、ジョイント部材２１，２２を共通にすることが可能となる。
【００４１】
また、第１係合部１５は、係合溝１６，１７のいずれか一方の溝だけから構成されていてもよい。第１係合部１５が係合溝１６のみで構成される場合、突起１３ａが形成されず、好ましくは突起１２ａ１の下方に延びる先端をさらに水平部１３に近づくように延出させればよい。第１係合部１５が係合溝１７のみで構成される場合、突起１２ａ１が形成されず、好ましくは突起１３ａの上端をさらに上方に延出させればよい。これにおいても、ジョイント部材２１と係合することが可能となる。また、第１係合部は、突起１２ａ１の先端と突起１３ａの先端とが繋がって構成されていてもよい。
【００４２】
また、第２係合部４５，２４５も、係合溝４６，４７，２４６，２４７のいずれか一方の溝だけから構成されていてもよい。第２係合部４５，２４５が係合溝４６，２４６のみで構成される場合、突起４２ａ，２４２ａが形成されず、好ましくは突起２ｂ１の先端をさらに後方に延出させればよい。第２係合部４５，２４５が係合溝４７，２４７のみで構成される場合、突起２ｂ１が形成されず、好ましくは突起４２ａ，２４２ａの先端をさらに前方に延出させればよい。これにおいても、ジョイント部材２２と係合することが可能となる。また、第２係合部は、突起２ｂ１の先端と突起４２ａ，２４２ａの先端とが繋がって構成されていてもよい。
【符号の説明】
【００４３】
１，２０１  水切り部材
２  取付部
３  水切り部
４，２０４  見切り部
１１  雨水案内部
１２  前垂れ部（垂直平面部）
１２ａ  後面
１５  第１係合部（係合部）
２１，２２  ジョイント部材
４１  第１水平部（水平部）
４５，２４５  第２係合部
１０５  軒天材
２４１  水平部
【図１】
0006796398.tif 000002
【図２】
0006796398.tif 000003
【図３】
0006796398.tif 000004
【図４】
0006796398.tif 000005
【図５】
0006796398.tif 000006